(57)【特許請求の範囲】
【請求項１】
加熱対象物の外周部に、高周波加熱用の複数ターンのコイルを配置して加熱対象物を加熱する高周波加熱コイルにおいて、前記コイルを、内周端のコイルから外周端のコイルに向かって巻数を次第に増大させ、全体の巻回状態が断面二等辺三角形状となるようにしたことを特徴とする高周波加熱コイル。
【請求項２】
加熱対象物の外周部に、高周波加熱用の複数ターンのコイルを配置して加熱対象物を加熱する高周波加熱コイルにおいて、前記コイルを、内周端のコイルから外周端のコイルに向かって断面Ｖ形状に拡がる巻回状態としたことを特徴とする高周波加熱コイル。
【発明の詳細な説明】
【０００１】
【発明の属する技術分野】
本発明は、高周波加熱コイルに係り、特に加熱対象物を効率よく局部加熱することができる高周波加熱コイルに関する。
【０００２】
【従来の技術】
従来から、例えば図４（ａ）に示すように、ソレノイド状に巻回したコイル１、あるいは図４（ｂ）に示すように、渦巻き状に巻回したコイル２を加熱対象物３の外周部に配置し、加熱対象物３を電磁誘導作用により加熱するようにした高周波加熱コイルは一般に知られている。
【０００３】
【発明が解決しようとする課題】
前記従来の高周波加熱コイルにおいて、ソレノイド状に巻回したコイル１の場合には、コイル１の軸方向全域に亘って加熱対象物３を均一に加熱するには適しているが、加熱対象物３を局部加熱することができないという問題がある。
【０００４】
これに対して、渦巻き状に巻回したコイル２の場合には、加熱対象物３のコイル２に対応する部分のみを局部加熱することができるが、加熱効率が悪いという問題がある。
【０００５】
本発明は、かかる現況に鑑みなされたもので、加熱対象物を効率よく局部加熱することができる高周波加熱コイルを提供することを目的とする。
【０００６】
本発明の他の目的は、局部加熱が可能なコイルを容易に製造することができる高周波加熱コイルを提供するにある。
【０００７】
【課題を解決するための手段】
前記目的を達成するため本発明は、加熱対象物の外周部に、高周波加熱用の複数ターンのコイルを配置して加熱対象物を加熱する高周波加熱コイルにおいて、前記コイルを、内周端のコイルから外周端のコイルに向かって巻数を次第に増大させ、全体の巻回状態が断面二等辺三角形状となるようにしたことを特徴とする。そしてこれにより、コイル全体の磁界分布が、内周端のコイル位置をピークとし、軸方向両側に離れるに従って急速に減少する特性曲線となる。このため、加熱対象を効率よく局部加熱することが可能となる。
【０００８】
本発明はまた、加熱対象物の外周部に、高周波加熱用の複数ターンのコイルを配置して加熱対象物を加熱する高周波加熱コイルにおいて、前記コイルを、内周端のコイルから外周端のコイルに向かって断面Ｖ形状に拡がる巻回状態となるようにしたことを特徴とする。そしてこれにより、局部加熱が可能なコイルを容易に製造することが可能となる。
【０００９】
【発明の実施の形態】
以下、本発明を図面を参照して説明する。
図１は、本発明の第１の実施の形態に係る高周波加熱コイルを示すもので、この高周波加熱コイル１０は、最内周コイル１０ａを１巻き，中間コイル１０ｂを２巻き，最外周コイル１０ｃを３巻き連続して巻回し、全体として６ターンのコイルとして構成されている。
【００１０】
すなわち、前記高周波加熱コイル１０は、最内周コイル１０ａから最外周コイル１０ｃに向かって巻数を次第に増大させ、全体の巻回状態が、寸法Ｌ1 ＝寸法Ｌ2 ，角度θ1 ＝角度θ2 の断面二等辺三角形状となるように構成されている。そしてこれにより、加熱対象物３の最内周コイル１０ａに対応する部分のみを、効率よく局部加熱できるようになっている。
【００１１】
図２は、図１に示す高周波加熱コイル１０を用いた場合の中心線Ｏ上の磁界分布を、ソレノイド状のコイル１を用いた場合の中心線Ｏ上の磁界分布と比較して示したもので、図２（ａ）は高周波加熱コイル１０の場合を、また図２（ｂ）はソレノイド状のコイル１の場合をそれぞれ示している。なお、図２（ａ）において、符号ａは最内周コイル１０ａによる磁界分布の特性曲線、符号ｂは中間コイル１０ｂによる磁界分布の特性曲線、符号ｃは最外周コイル１０ｃによる磁界分布の特性曲線、符号Ａは前記各特性曲線ａ，ｂ，ｃ，を合成した全体の特性曲線であり、また図２（ｂ）ににおいて、符号Ｂはソレノイド状のコイル１による磁界分布の特性曲線である。
【００１２】
図２（ａ），（ｂ）からも明らかなように、断面二等辺三角形状の高周波加熱コイル１０を用いることにより、磁界が最内周コイル１０ａに対応する部分に集中し、加熱対象物３の一部のみを、効率よく局部加熱できることが判る。
【００１３】
図３は、本発明の第２の実施の形態を示すもので、前記第１の実施の形態における高周波加熱コイル１０に代え、高周波加熱コイル２０を用いるようにしたものである。
【００１４】
すなわち、この高周波加熱コイル２０は、最内周コイル２０ａを１巻き，中間コイル２０ｂを２巻き，最外周コイル２０ｃを２巻き連続して巻回し、全体として５ターンのコイルとして構成されており、その全体の巻回状態は、寸法Ｌ3 ＝寸法Ｌ4 ，角度θ3 ＝角度θ4 の断面Ｖ形状となっている。
【００１５】
しかして、この高周波加熱コイル２０の場合にも、その磁界分布が最内周コイル２０ａに対応する部分に集中する特性となり、前記高周波加熱コイル１０の場合よりも効率は多少低下するが、加熱対象物３を局部加熱することができる。
【００１６】
反面、この高周波加熱コイル２０は、ソレノイド状のコイル１の中央部を中心側に絞った形状であるので、前記高周波加熱コイル１０よりも容易に製造することができる。
【００１７】
なお、前記両実施の形態においては、径方向に３列に巻回された高周波加熱コイル１０，２０について説明したが、その数には特に制限はない。
【００１８】
【発明の効果】
以上説明したように本発明は、コイルを、内周端のコイルから外周端のコイルに向かって巻数を次第に増大させ、全体の巻回状態が断面二等辺三角形状となるようにしているので、コイル全体の磁界分布が、内周端のコイル位置をピークとし、軸方向両側に離れるに従って急速に減少する特性曲線となる。このため、加熱対象物を効率よく局部加熱することができる。
【００１９】
本発明はまた、コイルを、内周端のコイルから外周端のコイルに向かって断面Ｖ形状に拡がる巻回状態となるようにしているので、加熱対象物を局部加熱することができ、しかもコイルを容易に製造することができる。
【図面の簡単な説明】
【図１】本発明の第１の実施の形態に係る高周波加熱コイルを示す断面図である。
【図２】（ａ）は図１の高周波加熱コイルの磁界分布を示す説明図、（ｂ）はソレノイド状のコイルの磁界分布を示す説明図である。
【図３】本発明の第２の実施の形態を示す図１相当図である。
【図４】（ａ）はソレノイド状をなす従来の高周波加熱コイルを示す断面図、（ｂ）は渦巻状をなす従来の高周波加熱コイルを示す断面図である。
【符号の説明】
３  加熱対象物
１０，２０  高周波加熱コイル
１０ａ，２０ａ  最内周コイル
１０ｂ，２０ｂ  中間コイル
１０ｃ，２０ｃ  最外周コイル
Ｌ1 ，Ｌ2 ，Ｌ3 ，Ｌ4   寸法
θ1 ，θ2 ，θ3 ，θ4   角度
Ｏ  中心線
【図１】
0003779986.tif 000002
【図３】
0003779986.tif 000003
【図２】
0003779986.tif 000004
【図４】
0003779986.tif 000005